(57)【要約】【課題】短い電線をコネクタ間に接続した後にツイストペア電線とする場合でも、ツイスト間のピッチが揃っており、ピッチ管理が容易なツイストペア電線を形成する方法を提供する。【解決手段】一対のコネクタＣ１、Ｃ２間に接続される複数本の電線Ｗ１、Ｗ２、Ｗ３からなるワイヤーハーネス１１の任意の電線Ｗ１を、治具１２上に所定の間隔で一列に立設された複数本のピン１３に引っ掛けて、所定の蛇行ピッチＰで蛇行させた後に、蛇行している電線Ｗ１に隣接する電線Ｗ２を蛇行している電線Ｗ１と交差部１５で交差するように蛇行させてツイストペアを形成し、これらの蛇行して重ねられた状態を、予め粘着面１４ａを上面にした状態で治具１２にセットされた粘着テープ１４で保持してツイストペア電線形成する。【選択図】　　　図１
2004071381.tif 000002
【特許請求の範囲】
【請求項１】
一対のコネクタ間に接続される複数本の電線からなるワイヤーハーネスにおいて、前記複数本の電線のうち少なくとも隣接する２本の電線をツイストペア電線とするツイストペア電線の形成方法であって、前記複数本の電線のうちの１本を所定の蛇行ピッチで蛇行させた後に、該蛇行している電線に隣接する電線を前記蛇行している電線と交差部で交差するように蛇行させてツイストペアを形成し、これらの蛇行して重ねられた状態を保持してツイストペア電線を形成することを特徴とするツイストペア電線の形成方法。
【請求項２】
請求項１記載のツイストペア電線の形成方法であって、前記電線を蛇行させるために、予め所定の間隔で立設された複数本のピンに前記電線を引っ掛けることで所定の蛇行ピッチで蛇行させることを特徴とするツイストペア電線の形成方法。
【請求項３】
請求項２記載のツイストペア電線の形成方法であって、前記複数本のピンが予め治具上に所定の間隔で一列に立設されていることを特徴とするツイストペア電線の形成方法。
【請求項４】
請求項１乃至請求項３のいずれか一項に記載のツイストペア電線の形成方法であって、２本の蛇行した電線で形成されたツイストペア電線を形態保持手段によって保持させることを特徴とするツイストペア電線の形成方法。
【請求項５】
請求項４記載のツイストペア電線の形成方法であって、前記形態保持手段が少なくとも一面に粘着面を有する粘着テープであり、該粘着面を上面にした状態で前記ピンに突き立てられていることを特徴とするツイストペア電線の形成方法。
【請求項６】
請求項５記載のツイストペア電線の形成方法であって、前記粘着テープが導電性を有していることを特徴とするツイストペア電線の形成方法。
【請求項７】
請求項６記載のツイストペア電線の形成方法であって、前記粘着テープからドレイン線を導出したことを特徴とするツイストペア電線の形成方法。
【請求項８】
請求項５乃至請求項７のいずれか一項に記載のツイストペア電線の形成方法であって、前記粘着テープを形成したツイストペアの形態を保持した状態で前記治具から離し、前記粘着テープの両端部分を折り曲げて前記ツイストペアを包囲することを特徴とするツイストペア電線の形成方法。
【請求項９】
請求項１乃至請求項８のいずれか一項に記載のツイストペア電線の形成方法であって、前記ワイヤーハーネスの一端を一方のコネクタに挿入し、ツイストペア電線を形成した後に他端をもう一方のコネクタに挿入することを特徴とするツイストペア電線の形成方法。
【発明の詳細な説明】
【０００１】
【発明の属する技術分野】
本発明は、ツイストペア電線の形成方法に係り、特に短い電線をツイストペアにする方法に関する。
【０００２】
【従来の技術】
電磁波妨害による被害を防ぐために、２本の電線を撚り合わせたツイストペア電線が用いられている。一対のコネクタ間に接続される複数本の電線からなるワイヤーハーネスのうち、任意の隣接している２本をツイストペアにする場合には次のような方法がある。まず、図２（ａ）に示すように、ワイヤーハーネス１の各電線Ｗ１、Ｗ２両端末を各コネクタＣ１、Ｃ２内に接続した状態で、電線Ｗ１、Ｗ２の一端Ｃ１側を固定すると共に、他端Ｃ２側を矢印方向に回転させて、電線Ｗ１と電線Ｗ２とを撚り合わせる。また、図２（ｂ）に示すように、ワイヤーハーネス１’の任意の隣接した２本の電線Ｗ１、Ｗ２に治具２を挿入し、この挿入箇所を矢印方向に回転させることによって撚り合わせる。なお、任意の隣接した２本の電線の中央部をテープで固定し、その固定部を回転させることによって行う方法もある。
【０００３】
【発明が解決しようとする課題】
ところが、上記したような方法では、電線の一箇所を回転させると同じコネクタ内に組み込まれている他の電線もねじれてしまうことがあった。また、コネクタ間が短い電線を撚り合わせる場合には、撚りピッチが一定にはならず、ピッチ管理が困難であった。このため、電磁波によるノイズの吸収が十分ではなかった。
【０００４】
そこで本発明は、短い電線をコネクタ間に接続した後にツイストペア電線とする場合でも、ツイスト間のピッチが揃っており、ピッチ管理が容易なツイストペア電線を形成することができる方法の提供を目的とする。
【０００５】
【課題を解決するための手段】
上記目的を達成するため請求項１記載の発明では、一対のコネクタ間に接続される複数本の電線からなるワイヤーハーネスにおいて、前記複数本の電線のうち少なくとも隣接する２本の電線をツイストペア電線とするツイストペア電線の形成方法であって、前記複数本の電線のうちの１本を所定の蛇行ピッチで蛇行させた後に、該蛇行している電線に隣接する電線を前記蛇行している電線と交差部で交差するように蛇行させてツイストペア電線を形成し、これらの蛇行して重ねられた状態を保持してツイストペア電線を形成することを特徴とする。
【０００６】
このツイストペア電線の形成方法では、まず１本の電線を所定の蛇行ピッチで蛇行させた後に、もう１本の電線を既に蛇行させた電線の上に重ねて交差するように配索することで２本の電線をツイストペア電線とする。この場合、２本の電線を撚り合わせることでツイストペアを形成しているのではないため、各ピッチが一定となる。また、各ピッチは一定の距離を保持されているため、ピッチ管理が容易となる。
【０００７】
請求項２記載の発明は、請求項１記載のツイストペア電線の形成方法であって、前記電線を蛇行させるために、予め所定の間隔で立設された複数本のピンに前記電線を引っ掛けることで所定の蛇行ピッチで蛇行させることを特徴とする。
【０００８】
このツイストペア電線の形成方法では、ピンに電線を引っ掛けることで、容易に、しかも一定のピッチで電線を蛇行させることができる。
【０００９】
請求項３記載の発明は、請求項２記載のツイストペア電線の形成方法であって、前記複数本のピンが予め治具上に所定の間隔で一列に立設されていることを特徴とする。
【００１０】
このツイストペア電線の形成方法では、予め治具の上に最適なピッチが得られるようにピンを立ててあるので、このピンに電線を引っ掛けるだけで、容易に、一定のピッチで電線を蛇行させることができる。
【００１１】
請求項４記載の発明は、請求項１乃至請求項３のいずれか一項に記載のツイストペア電線の形成方法であって、２本の蛇行した電線で形成されたツイストペア電線を形態保持手段によって保持させることを特徴とする。
【００１２】
このツイストペア電線の形成方法では、形成したツイストペア電線を形態保持手段によって保持させているため、一定のピッチを保ったまま、ツイストペア電線の形態が保持される。このため、ピッチ管理が容易である。
【００１３】
請求項５記載の発明は、請求項４記載のツイストペア電線の形成方法であって、前記形態保持手段が少なくとも一面に粘着面を有する粘着テープであり、該粘着面を上面にした状態で前記ピンに突き立てられていることを特徴とする。
【００１４】
このツイストペア電線の形成方法では、形成されたツイストペア電線が粘着面に貼着することによって、粘着テープ上面にツイストペア電線の形態が保持される。
【００１５】
請求項６記載の発明は、請求項５記載のツイストペア電線の形成方法であって、前記粘着テープが導電性を有していることを特徴とする。
【００１６】
このツイストペア電線の形成方法では、粘着テープが導電性を有しているため、粘着テープがシールドとなり、外部からの電磁波を遮蔽する。よって、ノイズの影響が低下する。
【００１７】
請求項７記載の発明は、請求項６記載のツイストペア電線の形成方法であって、前記粘着テープからドレイン線を導出したことを特徴とする。
【００１８】
このツイストペア電線の形成方法では、粘着テープからドレイン線を導出したため、粘着テープとは別にドレイン線を用意せずに、粘着テープをグランドにつなぐことができる。よって、確実にノイズの影響を防ぐことができる。
【００１９】
請求項８記載の発明は、請求項５乃至請求項７のいずれか一項に記載のツイストペア電線の形成方法であって、前記粘着テープを形成したツイストペアの形態を保持した状態で前記治具から離し、前記粘着テープの両端部分を折り曲げて前記ツイストペアを包囲することを特徴とする。
【００２０】
このツイストペア電線の形成方法では、粘着テープで形成したツイストペア電線を包み込むことができる。よって、ツイストペアの形態を十分に保持することができる。
【００２１】
請求項９記載の発明は、請求項１乃至請求項８のいずれか一項に記載のツイストペア電線の形成方法であって、前記ワイヤーハーネスの一端を一方のコネクタに挿入し、ツイストペア電線を形成した後に他端をもう一方のコネクタに挿入することを特徴とする。
【００２２】
このツイストペア電線の形成方法では、形成されたツイストペア電線の形状が保持されている状態でコネクタに挿入されるので、コネクタの挿入位置までツイストさせることができる。よって、ノイズの発生が抑制される。
【００２３】
【発明の実施の形態】
以下、本発明に係るツイストペア電線の形成方法の実施形態を図面に基づいて説明する。図１は本発明に係るツイストペア電線を備えたワイヤーハーネスの形成方法を説明するための概略図である。図２は、従来のツイストペア電線の形成方法の例を示す説明図である。
【００２４】
図１に示すワイヤーハーネス１１は、一対のコネクタＣ１，Ｃ２間に接続される複数本の電線Ｗ１、Ｗ２、Ｗ３とを備えている。各電線Ｗ１、Ｗ２、Ｗ３の両端に接続する端子（不図示）は、圧接もしくは圧着によって各電線Ｗ１、Ｗ２、Ｗ３と接続されている。そして、その端子は、コネクタＣ１、Ｃ２の端子収容室内に挿入係止されている。
【００２５】
最初に、上記したワイヤーハーネス１１の隣接した任意の電線Ｗ１、Ｗ２を、治具台２０の上に配置された治具１２の上に載置する。治具１２には、複数の細いピン１３が最適な蛇行ピッチＰが得られるように所定の間隔で一列に立設している。ピン１３には、粘着テープ１４がセットされている。粘着テープ１４は、予め上面１４ａに粘着剤を塗布しており、粘着剤が塗布されていない下面からピン１３が突き立てられた状態にある。なお、治具１２は、一対のコネクタＣ１，Ｃ２に接続された電線Ｗ１、Ｗ２、Ｗ３の接続位置１１ａ、１１ｂよりも高い位置に粘着テープ１４が配置されるような高さに設定されている。
【００２６】
この状態で、治具１２上に載置された電線Ｗ１、Ｗ２のうち、まず電線Ｗ１をピン１３に引っ掛けて順次蛇行させる。次に、電線Ｗ１に隣接している電線Ｗ２を、蛇行した電線Ｗ１と交差部１５で交差するように、電線Ｗ１の引っ掛け方向と反対側からピン１３に引っ掛けて蛇行させる。このようにして電線Ｗ１、Ｗ２をピン１３に引っ掛けて蛇行させることにより、電線Ｗ１、Ｗ２は互いに交差部１５で交差するように蛇行して重ねられたツイストペアとなる。
【００２７】
次に、各蛇行ピッチＰが崩れないように２本の電線Ｗ１、Ｗ２の両端末を引っ張り、治具１２にセットした粘着テープ１４の粘着面１４ａに形成されたツイストペアを押し当てる。そして、粘着面１４ａにツイストペアが貼り付いている状態で、治具１２から粘着テープ１４を外す。粘着テープ１４の両端の余った部分は、ツイストペアがくずれないようにして電線Ｗ１、Ｗ２に巻き付け固定する。
【００２８】
上記方法により、電線Ｗ１、Ｗ２は各電線Ｗ１、Ｗ２を撚り合わせることなくツイストペア電線と同一の形態となる。このように、各ピン１３に引っ掛けながら電線Ｗ１、Ｗ２を蛇行させるだけでツイストペアと同一形態となるため、電線Ｗ１、Ｗ２は短くてもツイストペアとすることが可能である。
【００２９】
なお、粘着テープ１４は導電性のアルミニウムシートや銅のシートでも良い。この場合、シートからドレイン線を導出することによって、シートの他に、別にドレイン線を用意することなく、粘着テープをグランドにつなぐことができる。
【００３０】
また、上記方法では、電線が短くてもツイストペアと同様の効果が得られるため、長さの短いワイヤーハーネスの一端を一方のコネクタに挿入し、ツイストペア電線を形成した後に他端をもう一方のコネクタに挿入することも可能である。
【００３１】
更に、本実施の形態では、ピンを治具上に一列に立設しているが、ピンは所望のツイストペアが得られるように適宜並び変えることが可能である。例えば、電線が千鳥掛けになるように、ピンを千鳥状に配置しても良い。また、ワイヤーハーネスの配索経路に従って、ピンを、例えば弧状に配置することが可能である。このように、ツイストペアを形成したい部分の電線の形状に合わせてピンを立設することで、所望のツイストペア電線を得ることができる。
【００３２】
【発明の効果】
以上説明したように、請求項１記載の発明によれば、このツイストペア電線の形成方法では、まず１本の電線を所定の蛇行ピッチで蛇行させた後に、もう１本の電線を既に蛇行させた電線の上に重なって交差するように配索することにより２本の電線をツイストペア電線とすることができる。また、各ピッチは一定の距離を保持しているため、ピッチ管理が容易となる。
【００３３】
請求項２記載の発明によれば、請求項１に記載された発明の効果に加えて、ピンに電線を引っ掛けることで、容易に、しかも一定のピッチで電線を蛇行させることができる。
【００３４】
請求項３記載の発明によれば、請求項２に記載された発明の効果に加えて、予め治具の上に最適なピッチ距離が得られるようにピンを立ててあるので、このピンに電線を引っ掛けるだけで、容易に、一定のピッチで電線を蛇行させることができる。
【００３５】
請求項４記載の発明によれば、請求項１乃至請求項３に記載された発明の効果に加えて、形成したツイストペア電線を形態保持手段によって保持させているため、一定のピッチを保ったまま、ツイストペア電線の形態が保持することができる。このため、ピッチ管理が容易となる。
【００３６】
請求項５記載の発明によれば、請求項４に記載された発明の効果に加えて、形成されたツイストペア電線が粘着面に貼着することによって、粘着テープ上面にツイストペア電線の形態が保持することができる。
【００３７】
請求項６記載の発明によれば、請求項５に記載された発明の効果に加えて、粘着テープが導電性を有しているため、粘着テープがシールドとなり、外部からの電磁波を遮蔽することができる。よって、確実に電磁波によるノイズの影響を防ぐことができる。
【００３８】
請求項７記載の発明によれば、請求項６に記載された発明の効果に加えて、粘着テープからドレイン線を導出したため、粘着テープとは別にドレイン線を用意せずに、粘着テープをグランドにつなぐことができる。よって、確実にノイズの影響を防ぐことができる。
【００３９】
請求項８記載の発明によれば、請求項５乃至請求項７に記載された発明の効果に加えて、粘着テープで形成したツイストペア電線を包み込むことができる。よって、ツイストペアの形態を十分に保持することができる。
【００４０】
請求項９記載の発明によれば、請求項１乃至請求項８に記載された発明の効果に加えて、形成されたツイストペア電線の形状が保持されている状態でコネクタに挿入することができるので、コネクタの挿入位置までツイストさせることができる。よって、ノイズの発生が抑制される。
【図面の簡単な説明】
【図１】（ａ）本発明に係るツイストペア電線を備えたワイヤーハーネスの形成方法を説明するための概略図である。（ｂ）（ａ）の側面図である。
【図２】（ａ）従来のツイストペア電線の形成方法の一例を示す説明図である。（ｂ）従来のツイストペア電線の形成方法の他の例を示す説明図である。
【符号の説明】
１１　　ワイヤーハーネス
１２　　治具
１３　　ピン
１４　　粘着テープ
１４ａ　粘着面
１５　　交差部
Ｐ　　　蛇行ピッチ
Ｃ１、Ｃ２　コネクタ
Ｗ１、Ｗ２　ツイストペアとする電線
Ｗ３　　他の電線
【図１】
2004071381.tif 000003
【図２】
2004071381.tif 000004